(57)【要約】  ＤＣモータのためのロータアセンブリ（１０）が提供され、前記ロータアセンブリ（１０）は、ロータ軸（１８）を有するロータ（１２）と、前記ロータ軸（１８）に取り付けられる整流子（２０）と、導電性接着剤などの導電性ソルダレス固着手段を介して前記整流子（２０）に接続されるバリスタ（２２）と、を備える。【選択図】図３
2021520766.tif 000002
【特許請求の範囲】
【請求項１】
ＤＣモータのためのロータアセンブリ（１０；１１０；２１０）であって、前記ロータアセンブリ（１０；１１０；２１０）は、
ロータ軸（１８；１１８；２１８）を有するロータ（１２）と、
前記ロータ軸（１８；１１８；２１８）に取り付けられる整流子（２０；１２０；２２０）と、
導電性ソルダレス固着手段を介して前記整流子（２０；１２０；２２０）に接続されるバリスタ（２２；１２２；２２２）と、
を備えることを特徴とするロータアセンブリ。
【請求項２】
前記導電性ソルダレス固着手段は、導電性接着剤（３４；１３４）を含むことを特徴とする、請求項１に記載のロータアセンブリ。
【請求項３】
前記導電性接着剤（３４；１３４）は、金属導電性構成要素を含むことを特徴とする、請求項２に記載のロータアセンブリ。
【請求項４】
前記金属導電性構成要素は、銀及び／又はニッケルを含むことを特徴とする、請求項３に記載のロータアセンブリ。
【請求項５】
前記導電性接着剤（３４；１３４）は、非金属導電性構成要素を含むことを特徴とする、請求項２乃至４のいずれか一項に記載のロータアセンブリ。
【請求項６】
前記非金属導電性構成要素は、グラファイト、グラフェン及び／又はカーボンナノチューブを含むことを特徴とする、請求項５に記載のロータアセンブリ。
【請求項７】
前記導電性ソルダレス固着手段は、前記バリスタ（２２２）の導電性ケーシングを含むことを特徴とする、請求項１に記載のロータアセンブリ。
【請求項８】
前記導電性ケーシングは、少なくとも部分的に導電性のプラスチック材料から形成されることを特徴とする、請求項７に記載のロータアセンブリ。
【請求項９】
前記バリスタ（２２；１２２；２２２）は、前記整流子（２０；１２０；２２０）の周りにループ状の要素として設けられることを特徴とする、請求項１乃至８のいずれか一項に記載のロータアセンブリ。
【請求項１０】
前記バリスタ（１２２；２２２）の複数の電極は、前記バリスタ（１２２；２２２）のロータ対向面上に設けられることを特徴とする、請求項９に記載のロータアセンブリ。
【請求項１１】
前記バリスタ（２２）の複数の電極（２４）は、前記バリスタ（２２）のロータ対向面と反対側の面上に設けられることを特徴とする、請求項９に記載のロータアセンブリ。
【請求項１２】
前記導電性ソルダレス固着手段は、前記整流子（２０；１２０；２２０）と前記バリスタ（２２；１２２；２２２）との間の空隙を架橋することを特徴とする、請求項１乃至１１のいずれか一項に記載のロータアセンブリ。
【請求項１３】
前記ロータアセンブリは、更に、前記整流子（１２０）に又はそれに隣接して取り付けられる支持要素（１３６）を備え、前記支持要素（１３６）は、前記導電性ソルダレス固着手段のための取り付け面を設けることを特徴とする、請求項１乃至１１のいずれか一項に記載のロータアセンブリ。
【請求項１４】
前記導電性ソルダレス固着手段は、流動性固着材料を含むことを特徴とする、請求項１乃至１３のいずれか一項に記載のロータアセンブリ。
【請求項１５】
前記導電性ソルダレス固着手段は、硬化性材料を含むことを特徴とする、請求項１乃至１４のいずれか一項に記載のロータアセンブリ。
【請求項１６】
前記導電性ソルダレス固着手段は、不可逆的に塗布可能な固着手段を含むことを特徴とする、請求項１乃至１５のいずれか一項に記載のロータアセンブリ。
【請求項１７】
ステータと、少なくとも１つのブラシと、請求項１乃至１６のいずれか一項に記載のロータアセンブリ（１０；１１０；２１０）とを備えることを特徴とするＤＣモータ。
【請求項１８】
ＤＣモータのためのロータアセンブリ（１０；１１０；２１０）を形成する方法であって、前記方法は、
ａ）ロータ軸（１８；１１８；２１８）を有するロータ（１２）と、前記ロータ軸に取り付けられる整流子（２０；１２０；２２０）とを設けるステップと、
ｂ）導電性ソルダレス固着手段を介して、前記整流子（２０；１２０；２２０）に、バリスタ（２２；１２２；２２２）を接続するステップと、
を含むことを特徴とする方法。
【請求項１９】
前記導電性ソルダレス固着手段は、導電性接着剤（３４；１３４）として設けられ、前記導電性接着剤（３４；１３４）は、以下のこと、すなわち、
接着剤ディスペンサを介して前記導電性接着剤（３４；１３４）を吐出すること、
前記導電性接着剤（３４；１３４）のスクリーン印刷、
前記導電性接着剤（３４；１３４）の３Ｄ印刷、
前記導電性接着剤（３４；１３４）の噴霧、
前記バリスタ（２２；１２２）及び／又は前記整流子（２０；１２０）を前記導電性接着剤（３４；１３４）中に湿式浸漬すること、及び、
前記導電性接着剤（３４；１３４）のテープキャスティング、
のいずれか１つを用いて塗布される、
ことを特徴とする、請求項１８に記載の方法。
【請求項２０】
前記導電性接着剤（３４；１３４）は、追加硬化、熱硬化、放射線硬化、嫌気性硬化、及び湿分硬化のいずれか１つを用いて硬化されることを特徴とする、請求項１９に記載の方法。
【請求項２１】
整流子（２０；１２０；２２０）及びバリスタ（２２；１２２；２２２）の組み合わせであって、前記バリスタ（２２；１２２；２２２）は、導電性ソルダレス固着手段を介して、前記整流子（２０；１２０；２２０）に接続されることを特徴とする組み合わせ。
【発明の詳細な説明】
【技術分野】
【０００１】
[0001]  本発明は、ＤＣモータのためのロータアセンブリ、好ましくはブラシ付きＤＣモータ、更に、このようなロータアセンブリを有するＤＣモータに関する。また、ＤＣモータのためのロータアセンブリを形成する方法も提供される。
【背景技術】
【０００２】
[0002]  直流（ＤＣ）モータは、動力を供給するために、様々な状況において広く用いられている。ＤＣモータ、特にブラシ付きモータは、直流電源から作動されるように設計される内部整流型電気モータであるので、特に、バッテリを介して作動されるのに適している。
【発明の概要】
【発明が解決しようとする課題】
【０００３】
[0003]  ブラシ付きモータの１つの不利益は、整流するとき、電圧ピーク又はスパイクが発生することである。ブラシが２つの整流子セグメントの間の整流子に接触して、モータのロータを整流して回転させ続けるようにする遷移点において、エネルギの急激な放出が、予め付勢されたコイルにあったエネルギから発生する。この放出は、逆ＥＭＦスパイクとして知られる電圧ピークを引き起こし、火花を招く可能性がある。これが抑制されないと、著しい電磁干渉を招く。
【０００４】
[0004]  この問題は、従来、例えば、整流子と連通しているバリスタ、すなわち電圧依存抵抗器を設けることによって、モータの電磁互換性レベルを向上させることによって対処されてきた。バリスタは、非線形電流−電圧特性を有し、その中を通る過渡電圧によって発生する電流の偏移によって、過剰な過渡電圧から保護することができる。
【０００５】
[0005]  ＤＣモータと関連して用いられるバリスタの一例は、ＤＣモータ軸線の周りにリングの形状を有し、はんだ付けによって、整流子に電気的及び機械的に接続されるものである。
【０００６】
[0006]  このような構成の不利益は、特にＤＣモータが長期間又は高負荷で作動される場合、はんだが融けて接続をゆるめ始めるにつれて、高温で、はんだ付けが機械的に不安定になる可能性があることである。高いモータ作動温度だけでなく、モータが付勢されるときのモータ巻線、整流子及びバリスタの抵抗自己加熱によっても、高温に達する。バリスタを取り外すと、バリスタの利点が失われて、電磁干渉の劣化を招くだけでなく、取り外すことによって、モータに電気的な短絡又は機械的な遮断を引き起こす可能性もある。したがって、はんだの低融点により、はんだ接合されたバリスタの有効性には制限がある。
【０００７】
[0007]  はんだ接合の更なる不利益は、はんだ付けプロセスからの残留フラックスを除去しなければならないことである。フラックスは非導電性であり、これが整流子に残ると、通常の整流プロセス中に、整流子とブラシとの間の電気的接触に影響を及ぼす可能性がある。溶剤洗浄プロセスを用いて、フラックスを除去することは、当技術分野において常法であるが、フラックスは、環境的に危険であり、安全に廃棄することが困難である可能性があり、モータの製造コストを著しく増加させる可能性がある。
【０００８】
[0008]  また、共晶挙動の結果として、高温作動時、バリスタにおいて、はんだと金属化電極（通常、銅及び銀から形成される）との間に、溶解反応が生じ得る可能性がある。これにより、はんだのマクロ構造を腐食させ、バリスタ電極の剥離によって、バリスタの支持を更に弱めて、バリスタと整流子との間の電気的及び機械的な切断を招く。これにより、モータの動作寿命を短くする。
【課題を解決するための手段】
【０００９】
[0009]  本発明は、バリスタを整流子に取り付けるための改良された接続方法であって、上述の問題を回避又は低減する方法を提供するものである。
【００１０】
[0010]  本発明の第１の態様によれば、ＤＣモータのためのロータアセンブリが提供され、前記ロータアセンブリは、ロータ軸を有するロータと、前記ロータ軸に取り付けられる整流子と、導電性ソルダレス固着手段を介して前記整流子に接続されるバリスタと、を備える。
【００１１】
[0011]  整流子とバリスタとの間の接続からはんだを除去することによって、有利なことに、高い作動温度で、バリスタにおいて、はんだと金属化電極との間に、溶解反応が生じるリスクをなくす。更に、導電性ソルダレス固着手段は、はんだのみよりもずっと高い温度まで熱安定性であるように形成することができ、これにより、ロータアセンブリを組み込んだＤＣモータの動作寿命を著しく長くすることができる。更に、このようなモータを損傷させる又は破壊する可能性がある機械的破損の大きなリスクがない抵抗器によって、電磁干渉を抑制することができる。
【００１２】
[0012]  好ましくは、前記導電性ソルダレス固着手段は、導電性接着剤を含むことができる。
【００１３】
[0013]  はんだの代わりに接着剤を用いることによって、有利なことに、バリスタと整流子との間の接続の機械的強度を向上させる。接着剤の接着性によって、接続の脆弱性を低くすることができるだけでなく、接着剤は、はんだ接続と比較して、向上した熱レジリエンスを示すこともできる。
【００１４】
[0014]  一実施形態では、前記導電性接着剤は、銀及び／又はニッケルなどの金属導電性構成要素を含むことができ、追加的に又は代替的に、前記導電性接着剤は、グラファイト、グラフェン及び／又はカーボンナノチューブなどの非金属導電性構成要素を含むことができる。
【００１５】
[0015]  接着剤タイプの様々な異なる特徴は、幾分有益には、ＤＣモータの使用目的に依存することができ、はんだと比較して、著しく向上した熱レジリエンスを有することができる。
【００１６】
[0016]  代替実施形態では、前記導電性ソルダレス固着手段は、前記バリスタの導電性ケーシングを含むことができる。
【００１７】
[0017]  固着手段が整流子に対してバリスタを拘束しておく代替構造は、接着剤又ははんだの場合のように任意の流体構成要素を塗布する必要がない接続を行うことができるので、有利になり得る。
【００１８】
[0018]  任意選択的に、前記導電性ケーシングは、少なくとも部分的に導電性のプラスチック材料から形成されることができる。
【００１９】
[0019]  少なくとも部分的に導電性のプラスチック材料は、バリスタを損傷から保護しながら、同時に、整流子との必要な電気接続を形成するという利点を有する。このような構成は、ロータアセンブリの最終的な構造を簡単にすることができる。
【００２０】
[0020]  好ましくは、前記バリスタは、前記整流子の周りにループ状の要素として設けられることができる。
【００２１】
[0021]  バリスタを整流子の周りに着座させることによって、導電性ソルダレス固着手段を用いて、いくつかの半径方向の固着点を得ることができ、ロータアセンブリの機械的安定性を更に向上させる。
【００２２】
[0022]  一実施形態では、前記バリスタの複数の電極は、前記バリスタのロータ対向面上に設けられることができる。別の実施形態では、前記バリスタの複数の電極は、前記バリスタのロータ対向面と反対側の面上に設けられることができる。
【００２３】
[0023]  ロータコイルに対するバリスタの電極の向きは、ソルダレス導電性固着手段の塗布の方法に応じて、異なる利点を提供することができる。例えば、電極がロータコイルから遠ざかる方向に向けられているとき、接着剤塗布具の挿入がより簡単になり、同時に、電極と中間支持導体との間の噛み合い接続によって、ロータ対向電極をよりアピールすることができる。
【００２４】
[0024]  任意選択的に、前記導電性ソルダレス固着手段は、前記整流子と前記バリスタとの間の空隙を架橋することができる。
【００２５】
[0025]  整流子とバリスタとの間に空隙を維持することによって、何らかの機械的絶縁を行って、使用中にバリスタが振動で外れる可能性を制限するだけでなく、偶発的な接触によりバリスタと整流子との間の接続を短絡させる可能性を低減することもできる。
【００２６】
[0026]  前記ロータアセンブリは、更に、前記整流子に又はそれに隣接して取り付けられる支持要素を備えることができ、前記支持要素は、前記導電性ソルダレス固着手段のための取り付け面を設ける。
【００２７】
[0027]  支持要素は、バリスタ及び／又は固着手段を支持するための追加の構造基礎を提供して、モータの機械的破損の可能性を低減することができる。
【００２８】
[0028]  好ましくは、前記導電性ソルダレス固着手段は、流動性固着材料を含むことができる。追加的に又は代替的に、前記導電性ソルダレス固着手段は、硬化性材料及び／又は不可逆的に塗布可能な固着手段を含むことができる。
【００２９】
[0029]  接着剤などの流動性固着材料を用いることによって、整流子とバリスタとの間のはんだ状の接続を行って、既存のハードウェアの制約内でロータアセンブリを用いることができるようにすることができる。硬化性及び／又は不可逆的に塗布可能な固着手段は、はんだに関連する熱劣化特性がないはんだの利点を提供することもできる。
【００３０】
[0030]  本発明の第２の態様によれば、ステータと、少なくとも１つのブラシと、本発明の第１の態様によるロータアセンブリとを備えるＤＣモータが提供される。
【００３１】
[0031]  上記のようなロータアセンブリを有するＤＣモータは、高温又は腐食性塗布によって損傷する可能性がかなり低いので、このようなモータの有用性を大いに広げることができる。
【００３２】
[0032]  本発明の第３の態様によれば、ＤＣモータのためのロータアセンブリを形成する方法が提供され、前記方法は、ａ）ロータ軸を有するロータと、前記ロータ軸に取り付けられる整流子とを設けるステップと、ｂ）導電性ソルダレス固着手段を介して、前記整流子に、バリスタを接続するステップと、を含む。
【００３３】
[0033]  好ましくは、前記導電性ソルダレス固着手段は、導電性接着剤として設けられることができ、前記導電性接着剤は、以下のこと、すなわち、接着剤ディスペンサを介して前記導電性接着剤を吐出すること、前記導電性接着剤のスクリーン印刷、前記導電性接着剤の３Ｄ印刷、前記導電性接着剤の噴霧、前記バリスタ及び／又は前記整流子を前記導電性接着剤中に湿式浸漬すること、及び、前記導電性接着剤のテープキャスティング、のいずれか１つを用いて塗布される。
【００３４】
[0034]  任意選択的に、前記導電性接着剤は、追加硬化、熱硬化、放射線硬化、嫌気性硬化、及び湿分硬化のいずれか１つを用いて硬化されることができる。
【００３５】
[0035]  本発明の第４の態様によれば、整流子及びバリスタの組み合わせが提供され、前記バリスタは、導電性ソルダレス固着手段を介して、前記整流子に接続される。
【００３６】
[0036]  ここで、添付図面を参照して、単なる例示として本発明をより具体的に説明する。
【図面の簡単な説明】
【００３７】
【図１】本発明の第１の態様によるロータアセンブリの一実施形態の側面図である。
【図２】任意選択的なヒートシンク要素を含む、図１のロータアセンブリの整流子及びバリスタの分解斜視図である。
【図３】図１のロータアセンブリの斜視図である。
【図４】本発明の第１の態様によるロータアセンブリの第２の実施形態の側面図である。
【図５】本発明の第１の態様によるロータアセンブリの第３の実施形態の側面図である。
【発明を実施するための形態】
【００３８】
[0042]  まず、図１を参照すると、ＤＣ電気モータに適しているロータアセンブリ（全体を１０で示す）が示されており、通常、ＤＣ電気モータは、ステータと、好ましくは複数のブラシと、ロータアセンブリ１０とを備える。
【００３９】
[0043]  ロータアセンブリ１０は、ロータ１２を含み、ロータ１２は、通常、電機子１６の周りに巻き付けられる複数のロータコイル１４を介して形成される。ロータ１２は、ロータ軸１８を含み、ロータ軸１８を介して、ＤＣ電気モータから回転運動を出力することができ、ＤＣ電気モータは、好ましくは、ブラシ付きＤＣ電気モータであり、ＤＣ電気モータには、整流子２０が取り付けられる又は取り付け可能である。
【００４０】
[0044]  バリスタ２２が、好ましくは、ロータ軸１８の周りの整流子２０の周りに受け入れ可能である環状バリスタなどのループ状の要素として形成される。ここで、バリスタ２２は、バリスタ材料２８の平面２６の１つに複数の電極２４を有し、これを介して、整流子との電気接続を行うことができる。図２は、整流子２０及びバリスタ２２の表示分解図である。図示の実施形態では、３つの電極２４が示されているが、電極の数は、ロータ１２を形成するロータコイル１４の数によって影響される。ヒートシンク要素３０を設けることもでき、これは、バリスタ２２の安定性を向上させることができる。ここで、ヒートシンク要素３０は、複数のファン要素３２を組み込んで、バリスタ２２で発生する熱エネルギの放射分散を向上させる。ヒートシンク要素３０は図１から省略していることに留意されたい。
【００４１】
[0045]  導電性固着材料又は同様の固着手段を用いて、電気接続が行われ、これは、はんだが全くないものである。この構成は、はんだ接続の機械的又は化学的破損に関連するリスクをなくす。好ましくは、導電性ソルダレス固着手段は、はんだの場合のような構成部品間の金属−金属（金属）接合が全くなくても又はそもそもそのような接合を含まなくてもよい。
【００４２】
[0046]  「はんだ」という用語は、最も一般的には電気回路において、導電性（通常、金属）部品間を永久的又は半永久的に接合するために用いられる可融性金属合金を指すことを意図するものである。はんだの最も一般的な形態は、鉛及びスズの合金であるが、多くの場合、はんだは、アンチモン、ビスマス、銅、ゲルマニウム、ニッケル、インジウム、銀、及び亜鉛などの他の金属も含むか、又はこれらのみを用いる。対照的に、「ソルダレス」という用語は、これらの可融性金属合金を排除することを意図するものである。
【００４３】
[0047]  更に、導電性ソルダレス固着手段は、好ましくは、熱エネルギの印加時に可逆変換を受けない材料から形成することができる。はんだを溶融及び再溶融させて、流動性を回復して、再利用又は変更するようにすることができ、ある状況では有用であり得るが、高いモータ作動温度時には、これは作動にとって有害になる。導電性ソルダレス固着手段は、この挙動を回避するように意図されている。
【００４４】
[0048]  図示の実施形態では、図３に最も良く示すように、導電性ソルダレス固着手段は、導電性接着剤などの導電性材料を含み、ここでは、導電性接着剤は、バリスタ２２の電極２４と物理的及び電気的に連通している複数の接着剤接合部３４として形成される。接着剤接合部３４の形態は、はんだ溶接によって形成されるものと一致し、用いられる接着剤の粘度又は流体流れ特性によって影響される。この理由で、流動性の導電性固着材料を用いて、バリスタ２２を整流子２０に固定することが好ましい場合がある。このような材料を固定構成に設置して、整流子２０に対してバリスタ２２の位置を維持することができる。
【００４５】
[0049]  任意の適切な導電性接着剤を考えることができる。金属導電性構成要素を有する接着剤を用いることができる（例えば、銀接着剤、ペースト又はエポキシ樹脂）。代替的に、非金属導電性構成要素を有する接着剤を用いることができる（例えば、グラフェン接着剤、ペースト又はエポキシ樹脂）。導電性構成要素の選択は、例えば、銀及び／又はニッケルなどの金属材料の１つ又は組み合わせとすることができるか、又はグラファイト、グラフェン又はカーボンナノチューブなどの炭素含有導電性材料などの非金属材料から形成することができる。
【００４６】
[0050]  導電性接着剤は、はんだが受ける熱劣化を示さないので、ＤＣモータの作動温度範囲にわたって熱安定性のままであり、好ましくは少なくとも２００℃まで熱安定性であり、より好ましくは少なくとも２５０℃又は３００℃まで熱安定性である。更に、導電性接着剤は、バリスタ電極と共晶反応する傾向を示すことなく、熱伝導性とすることができる。無鉛はんだの問題は、その融点が、通常、２２０℃よりも低いことである。したがって、作動温度がはんだの融点を超える点に、モータの明瞭な最大閾値作動温度がある。本発明では、接着剤の導電性充填材、例えば銀及び／又はニッケルは、無鉛はんだの融点をはるかに超える融点を有する。モータが厳しい高温状態で作動しているときでも、金属充填材の融解が発生しない。
【００４７】
[0051]  図示のように、バリスタ２２は、好ましくは、バリスタ２２の複数の電極２４が、バリスタ２２のロータ対向面と反対側の面上に設けられるように配置することができる。これにより、組立時に整流子２０の周りにバリスタ２２を容易に位置決めして、接着剤塗布具をバリスタ２２に又はそれに隣接して導入するために最大限接近させることができて、固着を確実に行うことができる。
【００４８】
[0052]  代替のロータアセンブリ（図４に１１０で示す）が示されており、これには、代替のバリスタ１２２の取り付け構成が設けられる。が設けられる。上記で先に用いたものと同一又は同様の参照番号を用いて、同一又は同様の構成要素を示し、簡潔にするために、更なる詳細な説明は省略する。
【００４９】
[0053]  このロータアセンブリ１１０では、複数の電極を、バリスタ１２２の前記ロータ対向面上に設けることができる。これにより、整流子１２０と連通している棚部又はリップ１３６がある場合、構造を簡単にすることができ、整流子１２０に対して接着を行って、好ましくは複数の接着剤接合部１３４を介して電気接続を形成することができる。
【００５０】
[0054]  整流子１２０に関連する棚部又はリップ１３６、又は実際に、好ましくはロータ軸１１８から遠ざかる方向に半径方向に延在する任意の同様の支持要素は、バリスタ１２２及び導電性ソルダレス固着手段を物理的に支持することによって、ロータアセンブリ１１０の安定性を向上させる。
【００５１】
[0055]  棚部又はリップ１３６は、整流子１２０の全外周又は円周の周りに延在する連続リップとすることができるか、又はバリスタ１２２の電極の位置に適切に向けられるように不連続とすることができる。
【００５２】
[0056]  したがって、ＤＣモータのためのロータアセンブリを形成する方法であって、ロータ軸を有するロータと、ロータ軸に取り付けられる整流子とを設けるステップと、上記のような導電性接着剤などの導電性ソルダレス固着手段を介して、整流子に、バリスタを接続するステップとを含む方法を提供することができる。
【００５３】
[0057]  このような導電性接着剤が設けられる場合、導電性接着剤は、以下のこと、すなわち、接着剤ディスペンサを介して導電性接着剤を吐出すること、導電性接着剤のスクリーン印刷、導電性接着剤の３Ｄ印刷、導電性接着剤の噴霧、バリスタ及び／又は整流子を導電性接着剤中に湿式浸漬すること、及び、導電性接着剤のテープキャスティングのいずれか１つを用いて塗布されることができる。
【００５４】
[0058]  いったん塗布された接着剤を固化するために、接着剤は、好ましくは、追加硬化、熱硬化、放射線硬化、嫌気性硬化、及び湿分硬化のいずれか１つを用いて硬化されることによって、バリスタ及び整流子を確実にしっかりと接合する。硬化性の導電性ソルダレス固着手段は有用である。というのは、それがいったん硬化されると、固着手段の塗布の可逆性が除去されるので、モータの作動温度の間にもう一度流動性になることはないからである。
【００５５】
[0059]  導電性ソルダレス固着手段を実現することができる代替の方法があり得る。１つの可能性を図５に示す。再び、同一及び／又は同様の参照番号を用いて、上記実施形態で先に説明したものと同一及び／又は同様の構成要素を示し、簡潔にするために、更なる詳細な説明は省略する。
【００５６】
[0060]  バリスタ材料２２８のケーシング２３８を、少なくとも部分的に導電性の材料から形成することによって、バリスタ２２２を形成し、バリスタ２２２を電極に位置合わせして、ロータ軸２１８の周りの整流子２２０に結合することによって、ロータアセンブリ（２１０で示す）が得られる。１つのオプションとして、バリスタ材料２２８にオーバーモールドすることができ、少なくともＤＣモータの作動温度にわたって高い熱安定性を有する導電性プラスチック材料を用いることができる。好ましくは、ケーシング２３８は、バリスタ２２２を整流子２２０に対して適所に保持するとともに、必要な導電性を提供するように働くことができる。
【００５７】
[0061]  本発明はＤＣモータに関連して用いられるように意図されているが、バリスタをＡＣ整流子モータと組み合わせて利用することが望ましいことがあり、その場合、提示されたソルダレスの解決手段は等しく適用可能である。
【００５８】
[0062]  同様に、本明細書はソルダレス導電性固着手段に言及しているが、これは、必ずしも単一のタイプの材料から形成される必要はなく、複合材料、又は互いに接続されて、整流子とバリスタとの間の電気接続を行って、適切なソルダレス導電性固着手段を形成するいくつかの異なる材料とすることができることが明らかであろう。
【００５９】
[0063]  ＤＣモータのためのソルダレス導電性固着手段を提供して、バリスタと整流子との接続を可能にすることによって、有利なことに、モータの機械的及び化学的安定性を向上させることができ、その動作寿命を著しく向上させることができる。
【００６０】
[0064]  「備える（comprises/comprising）」という語及び「有する／含む（having/including）」という語は、本発明を参照して本明細書で用いられる場合、説明する特徴、整数、工程又は部品の存在を規定するために使用され、他の１つ以上の特徴、整数、工程、部品又はそれらのグループの存在又は追加を排除するものではない。
【００６１】
[0065]  明確にするために別個の実施形態に関連して説明されている本発明の特定の特徴は、１つの実施形態において組み合わせて提供してもよいものと理解される。逆に、簡潔にするために１つの実施形態に関連して説明されている本発明の種々の特徴を、個別に又はそれらを適当に組み合わせて提供してもよい。
【００６２】
[0066]  上記の実施形態は単なる例示であり、本明細書で定義する本発明の範囲から逸脱することなく、他の様々な修正が、当業者にとって明らかである。
【符号の説明】
【００６３】
１０  ロータアセンブリ
１２  ロータ
１４  ロータコイル
１６  電機子
１８  ロータ軸
２０  整流子
２２  バリスタ
２４  電極
２６  平面
２８  バリスタ材料
３０  ヒートシンク要素
３２  ファン要素
３４  接着剤接合部／導電性接着剤
１１０  ロータアセンブリ
１１８  ロータ軸
１２０  整流子
１２２  バリスタ
１３４  接着剤接合部／導電性接着剤
１３６  棚部又はリップ／支持要素
２１０  ロータアセンブリ
２１８  ロータ軸
２２０  整流子
２２２  バリスタ
２２８  バリスタ材料
２３８  ケーシング
【図１】
2021520766.tif 000003
【図２】
2021520766.tif 000004
【図３】
2021520766.tif 000005
【図４】
2021520766.tif 000006
【図５】
2021520766.tif 000007
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
ＤＣモータのためのロータアセンブリ（１０；１１０；２１０）であって、前記ロータアセンブリ（１０；１１０；２１０）は、
ロータ軸（１８；１１８；２１８）を有するロータ（１２）と、
前記ロータ軸（１８；１１８；２１８）に取り付けられる整流子（２０；１２０；２２０）と、
導電性ソルダレス固着手段を介して前記整流子（２０；１２０；２２０）に接続されるバリスタ（２２；１２２；２２２）であって、前記導電性ソルダレス固着手段は、導電性接着剤を含む、バリスタ（２２；１２２；２２２）と、
を備えることを特徴とするロータアセンブリ。
【請求項２】
前記導電性接着剤は、金属導電性構成要素を含むことを特徴とする、請求項１に記載のロータアセンブリ。
【請求項３】
前記金属導電性構成要素は、銀及び／又はニッケルを含むことを特徴とする、請求項２に記載のロータアセンブリ。
【請求項４】
前記導電性接着剤は、非金属導電性構成要素を含むことを特徴とする、請求項１乃至３のいずれか一項に記載のロータアセンブリ。
【請求項５】
前記非金属導電性構成要素は、グラファイト、グラフェン及び／又はカーボンナノチューブを含むことを特徴とする、請求項４に記載のロータアセンブリ。
【請求項６】
前記バリスタ（２２；１２２；２２２）は、前記整流子（２０；１２０；２２０）の周りにループ状の要素として設けられることを特徴とする、請求項１乃至５のいずれか一項に記載のロータアセンブリ。
【請求項７】
前記バリスタ（１２２；２２２）の複数の電極は、前記バリスタ（１２２；２２２）のロータ対向面上に設けられることを特徴とする、請求項６に記載のロータアセンブリ。
【請求項８】
前記バリスタ（２２）の複数の電極（２４）は、前記バリスタ（２２）のロータ対向面と反対側の面上に設けられることを特徴とする、請求項６に記載のロータアセンブリ。
【請求項９】
前記導電性ソルダレス固着手段は、前記整流子（２０；１２０；２２０）と前記バリスタ（２２；１２２；２２２）との間の空隙を架橋することを特徴とする、請求項１乃至８のいずれか一項に記載のロータアセンブリ。
【請求項１０】
前記ロータアセンブリは、更に、前記整流子（１２０）に又はそれに隣接して取り付けられる支持要素（１３６）を備え、前記支持要素（１３６）は、前記導電性ソルダレス固着手段のための取り付け面を設けることを特徴とする、請求項１乃至８のいずれか一項に記載のロータアセンブリ。
【請求項１１】
前記導電性ソルダレス固着手段は、流動性固着材料を含むことを特徴とする、請求項１乃至１０のいずれか一項に記載のロータアセンブリ。
【請求項１２】
前記導電性ソルダレス固着手段は、硬化性材料を含むことを特徴とする、請求項１乃至１１のいずれか一項に記載のロータアセンブリ。
【請求項１３】
前記導電性ソルダレス固着手段は、不可逆的に塗布可能な固着手段を含むことを特徴とする、請求項１乃至１２のいずれか一項に記載のロータアセンブリ。
【請求項１４】
ステータと、少なくとも１つのブラシと、請求項１乃至１３のいずれか一項に記載のロータアセンブリ（１０；１１０；２１０）とを備えることを特徴とするＤＣモータ。
【請求項１５】
ＤＣモータのためのロータアセンブリ（１０；１１０；２１０）を形成する方法であって、前記方法は、
ａ）ロータ軸（１８；１１８；２１８）を有するロータ（１２）と、前記ロータ軸に取り付けられる整流子（２０；１２０；２２０）とを設けるステップと、
ｂ）導電性ソルダレス固着手段を介して、前記整流子（２０；１２０；２２０）に、バリスタ（２２；１２２；２２２）を接続するステップと、
を含むことを特徴とする方法。
【請求項１６】
前記導電性ソルダレス固着手段は、導電性接着剤として設けられ、前記導電性接着剤は、以下のこと、すなわち、
接着剤ディスペンサを介して前記導電性接着剤を吐出すること、
前記導電性接着剤のスクリーン印刷、
前記導電性接着剤の３Ｄ印刷、
前記導電性接着剤の噴霧、
前記バリスタ（２２；１２２）及び／又は前記整流子（２０；１２０）を前記導電性接着剤中に湿式浸漬すること、及び、
前記導電性接着剤のテープキャスティング、
のいずれか１つを用いて塗布される、
ことを特徴とする、請求項１５に記載の方法。
【請求項１７】
前記導電性接着剤（３４；１３４）は、追加硬化、熱硬化、放射線硬化、嫌気性硬化、及び湿分硬化のいずれか１つを用いて硬化されることを特徴とする、請求項１６に記載の方法。
【請求項１８】
整流子（２０；１２０；２２０）及びバリスタ（２２；１２２；２２２）の組み合わせであって、前記バリスタ（２２；１２２；２２２）は、導電性ソルダレス固着手段を介して、前記整流子（２０；１２０；２２０）に接続されることを特徴とする組み合わせ。
【国際調査報告】
2021520766.tif 000008
2021520766.tif 000009